(57)【特許請求の範囲】
【請求項１】
ソール長さ（Ｌ）のアウタソールに取り付けられるアッパを含む凹凸の激しい地面を走るためのスポーツシューズであって、
ヒール支持位置における前記アウタソールの厚み（Ｈ１ｃ）が、前記長さ（Ｌ）の１０〜２０％であり、フロント位置における前記アウタソールの厚み（Ｈ１ａ）が、前記長さ（Ｌ）の５〜１５％であることによりヒール支持位置からフロント位置におけるアウタソールの厚みが概ね一定であると共にアウタソールの前方立上り部とアウタソールの後方立上り部にはさまれた中央部分の下面をほぼ平にし、
地面支持位置における前記アウタソールの幅（Ｌ２）が、前記アッパの幅（Ｌ１）より広幅であること、及び、地面支持位置における前記アウタソールの幅（Ｌ２）の値と、前記アッパの幅（Ｌ１）との比率Ｋ１が、１．５〜１．８であり、
前記アウタソールの側壁が、アウターソールの上部からアウターソールの下部に向かってアウターソールの幅が徐々に連続して広くなるように湾曲したことを特徴とする、靴。
【請求項２】
当該靴の材料のショア硬度「Ｄ」が、５０〜７０であることを特徴とする、請求項１に記載の靴。
【請求項３】
前記アウタソールが、ＥＶＡから構成されることを特徴とする、請求項２に記載の靴。
【請求項４】
前記アウタソールの上に配置される前記アッパは、その下部で前記アウタソールに嵌め込まれ、且つ、その下部で周辺リムにより固定され、該周辺リムは、上向きに延びる壁から構成されるために前記アッパの下部を囲み、前記アウタソールは、前記アッパを収容するために上向きに開口される凹状の輪郭から成る中央皿状部を含み、該中央皿状部は、前記周辺リムで形成されることを特徴とする、請求項３に記載の靴。
【請求項５】
前記アウタソールの厚み（Ｈ１）が２０ｍｍ〜５０ｍｍであり、その一方で、前記アウタソールへの前記アッパの嵌め込み高さ（Ｈ２）が２０〜３０ｍｍであることを特徴とする、請求項４に記載の靴。
【請求項６】
前記中央部分は、前記アウタソールの全長（Ｌ）の値の４０〜７０％に含まれる長さ（Ｌ３）に亘って延びることを特徴とする、請求項５に記載の靴。
【請求項７】
前記湾曲した前方立ち上がり部分の長さ（Ｌ４）の値が、前記アウタソールの全長（Ｌ）の値の２５〜４０％であることを特徴とする、請求項６に記載の靴。
【請求項８】
前記湾曲した後方立ち上がり部分の長さ（Ｌ５）の値が、前記アウタソールの全長（Ｌ）の値の１５〜３０％であることを特徴とする、請求項７に記載の靴。
【請求項９】
前記湾曲した前方立ち上がり部分の立ち上がり高さ（Ｈ３）が、この同じ湾曲した前方立ち上がり部分の長さ（Ｌ４）の３０〜４０％であることを特徴とする、請求項８に記載の靴。
【発明の詳細な説明】
【技術分野】
【０００１】
本発明は、靴の改良に関し、例えば、山間部の特に下りで石ころや切り株、草木の根などがある場合のような、非常に凹凸の激しい地面を快適に走るためのスポーツシューズの改良に特に関する。
【背景技術】
【０００２】
靴は、それ自体知られているように、アウタソールに組み立てられるアッパを含んでおり、ユーザが検討する使用に適したタイプの靴を選択することができるように、市場でのスポーツシューズの選択肢は広い。
【発明の概要】
【発明が解決しようとする課題】
【０００３】
しかしながら、スポーツシューズの改良には幾つかの欠点があり、本発明による靴は、こうした欠点をなくすことを目指している。
【課題を解決するための手段】
【０００４】
本発明による靴によって、特に、ソールの下面の幾何学的な形状、並びに、このソールの容積及び性質によって、上り、下り、或いは、平坦地のどのようなタイプの行程であっても足は自然に繰り出される。実際、このソールによって、接触の連続性および繰り出し（ｄｅｒｏｕｌｅ）の段階性が得られる。
【０００５】
以下の説明を読めば、足の自然な位置を尊重しながら上記の長所が存在することが理解されるであろう。
【０００６】
また、本発明によるソールによって、本発明の靴が特に起伏面に耐えるものであることが分かるであろう。
【０００７】
さらに、本発明の側面リムによって、ソールは、すぐれた側面安定性を得られるので、衝撃から保護される。
【０００８】
本発明の他の特徴および長所は、限定的ではなく例としてのみ挙げられた添付図面を参照しながら、以下の説明を読めば明らかになるであろう。
【図面の簡単な説明】
【０００９】
【図１】本発明による靴を示す側面図である。
【図２】本発明による靴を示す上面図である。
【図３】ソールを示す斜視図である。
【図４Ａ】図１中のＡ−Ａ線に沿う断面を示す横断面図である。
【図４Ｂ】図１中のＢ−Ｂ線に沿う断面を示す横断面図である。
【図４Ｃ】図１中のＣ−Ｃ線に沿う断面を示す横断面図である。
【発明を実施するための形態】
【００１０】
本発明による靴（１）は、公知のように、アウタソール（３）に取り付けられるアッパ（２）を含んでいる。
【００１１】
アッパ（２）は、ユーザの足が内部に固定されるカバー（４）で構成される。そのため、例えば可撓性の材料で構成されるこのアッパ（２）は、ユーザの足の形状をほぼ有し、例えば紐等の固定手段を含んでいる。
【００１２】
１つの特徴によれば、アッパ（２）は、アウタソール（３）の上に取り付けられ、その下部によりアウタソール（３）に嵌め込まれる。アッパ（２）は、当然のことながら、貼り合わせその他の公知のあらゆる適切な手段によりソールに結合されると共に、アッパ（２）は、その下部で、上方に延びてアッパの底部を囲む壁から成る周辺リム（５）により固定される。換言すれば、アウタソール（３）は、アッパ（２）を受容するために上向きに開口された、凹状の輪郭からなる中央皿状部（６）を含み、この中央皿状部（６）は、周辺リムから形成されている。
【００１３】
横断面をみると、アッパ（２）は、アウタソール（３）と結合される位置に幅（Ｌ１）を有し、その一方で、これらの同じ横断面をみると、地面でアウタソールが支持される位置におけるアウタソールの幅（Ｌ２）は、アッパの幅（Ｌ１）よりも広い。
【００１４】
そのため、本発明の靴の１つの特徴によれば、地面で支持される位置におけるアウタソールの幅（Ｌ２）の値と、アッパの幅（Ｌ１）との比率Ｋ１が、１．５〜１．８である。
【００１５】
更に、アウタソールの厚み（Ｈ１）が２０ｍｍ〜５５ｍｍであるのに対し、アウタソールへのアッパの嵌め込み高さ（Ｈ２）は、２０ｍｍ〜３０ｍｍである。
【００１６】
また、１つの補足的な特徴によれば、アウタソールの側壁（７）は、図４Ａ、４Ｂ、４Ｃから分かるように、上方の点（７ａ）を下方の点（７ｂ）に繋げるように膨らんでいることに留意されたい。
【００１７】
それに加えて、アウタソールの下面（８）は、ほぼ平らな中央部分（９）を有し、この中央部分は、前方では、湾曲した前方立ち上がり部分（９ａ）によって延長され、後方では、湾曲した後方立ち上がり部分（９ｂ）によって延長されている。
【００１８】
中央部分（９）は、長さ（Ｌ３）に亘って延び、その値は、アウタソールの全長（Ｌ）の値の４０〜７０％である。
【００１９】
湾曲した前方立ち上がり部分（９ａ）の長さ（Ｌ４）の値がアウタソールの全長（Ｌ）の値の２５〜４０％であるのに対し、湾曲した後方立ち上がり部分（９ｂ）の長さ（Ｌ５）の値は、アウタソール（３）の全長（Ｌ）の値の１５〜３０％である。
【００２０】
また、湾曲した前方立ち上がり部分（９ａ）の立ち上がり高さ（Ｈ３）の値は、この同じ前方立ち上がり部分（９ａ）の長さ（Ｌ４）の３０〜４０％である。
【００２１】
更に、ほぼ平らな中央部分（９）は、一部が、ヒールの支点（１０）の後方に延び、一部が、この支点から中足骨位置まで延びていることが分かる。
【００２２】
湾曲した後方立ち上がり部分（９ｂ）の立ち上がり高さ（Ｈ４）は、前方立ち上がり部分（９ａ）の立ち上がり高さ（Ｈ３）の値よりも低い値である。
【００２３】
有利には、アウタソールは、ＥＶＡ（エチレン・酢酸ビニル共重合体）タイプであり、そのショア硬度「Ｄ」が、例えば５０〜７０である。
【００２４】
アウタソールの厚みに関しては、アウタソールの長さ（Ｌ）が約３００ｍｍである靴の場合、この厚みは、ヒール支持位置（Ｈ１ｃ）で３０〜５５ｍｍであり、フロント位置（Ｈ１ａ）で２０〜４０ｍｍである。これは、高さ（Ｈ１ａ）が長さ（Ｌ）の５〜１５％であり、高さ（Ｈ１ｃ）が長さ（Ｌ）の１０〜２０％であることを意味する。
【００２５】
もちろん、本発明は、例として記載および図示された実施形態に制限されるものではなく、あらゆる同等技術並びにそれらの組み合わせを含む。
【図１】
0006037830.tif 000002
【図２】
0006037830.tif 000003
【図３】
0006037830.tif 000004
【図４Ａ】
0006037830.tif 000005
【図４Ｂ】
0006037830.tif 000006
【図４Ｃ】
0006037830.tif 000007